(57)【特許請求の範囲】
【請求項１】
複数の収納棚をその間に通路を設けて並列に配設するとともに、通路を挟んで互いに対面する収納棚の上部間を長尺の防震用連結バーで連結してなる収納棚の防震装置であって、前記収納棚は、通路に面した左右両側の支柱の上端部間にそれぞれビームを渡設するとともに、前後のビーム間に棚受によって支持された天板を載置した構造であり、各収納棚における前後のビームの任意の位置に係止した取付金具に前記連結バーを連結してなることを特徴とする収納棚の防震装置。
【請求項２】
前記ビームは上縁を内方へ折曲して上板を形成するとともに、該上板の内縁を下方へ折曲して垂下板を形成し、前記取付金具は前記ビームの垂下板に係止する断面略Ｌ字形の係止部とその上部に上方へ開放した断面略コ字形の受部とを形成し、前記取付金具の係止部をビームの垂下板に係止し且つ受部の凹溝内に前記連結バーを受け入れてネジ止めしてなる請求項１記載の収納棚の防震装置。
【請求項３】
前後のビームの垂下板にそれぞれ取付金具の係止部を互いに逆向きに係止した状態で、前記天板を前後のビーム間に装着して前記係止部をビームの垂下板と天板側縁との間で保持してなる請求項１又は２記載の収納棚の防震装置。
【請求項４】
前記取付金具は、前後のビームをそれぞれ外側から抱き込んで係止する係止部とその上部に上方へ開放した断面略コ字形の受部とを形成し、前記取付金具の係止部をビームに係止し且つ受部の凹溝内に前記連結バーを受け入れてネジ止めしてなる請求項１記載の収納棚の防震装置。
【発明の詳細な説明】
【０００１】
【発明の属する技術分野】
本発明は、収納棚の防震装置に係わり、更に詳しくは並列に設置した複数の収納棚の上部間を連結バーで連結して地震の震動によっても倒れないようになした収納棚の防震装置に関する。
【０００２】
【従来の技術】
従来、複数の収納棚をその間に通路を設けて並列に配設するとともに、通路を挟んで互いに対面する収納棚の上部間を長尺の防震用連結バーで連結してなる収納棚の防震装置は既に公知である。
【０００３】
例えば、図５に示した本出願人による実施品は、収納棚１００を構成する支柱１０１の通路に面した上端部に、取付金具１０２の垂直板１０３をビーム１０４，１０４とともにネジ止めするとともに、該取付金具１０２の垂直板１０３の上端に設けた断面略コ字形の受部１０５の凹溝内に防震用連結バー１０６を受け入れて、側方から受部１０５と連結バー１０６をネジ止めした構造である。尚、図中１０７は、前後のビーム１０４，１０４間に載置した天板である。
【０００４】
各収納棚の支柱１０１，１０１の上端部間を取付金具１０２を用いて複数の防震用連結バー１０６で連結する従来の防震装置でもその効果は十分に期待できる。しかし、室内空間には構造柱や室内の凸部が存在することが多く、そして収納棚の設置空間を有効利用する目的から収納棚間の通路内に前述の構造柱や室内の凸部を取り込むような配置に設定せざるを得ない場合もあり、支柱の位置が前述の構造柱や室内の凸部に対応する場合には、部分的に前記連結バーを取付けることができないといった問題を有していた。
【０００５】
【発明が解決しようとする課題】
本発明が前述の状況に鑑み、解決しようとするところは、複数の収納棚をその間に通路を設けて並列に配設するとともに、通路を挟んで互いに対面する収納棚の上部間を長尺の防震用連結バーで連結してなる収納棚の防震装置において、取付金具の取付作業が簡単であるとともに、連結バーの取付位置に対する自由度が大きく、しかも従来の防震装置と同等な防震効果を有する収納棚の防震装置を提供する点にある。
【０００６】
【課題を解決するための手段】
本発明は、前述の課題解決のために、複数の収納棚をその間に通路を設けて並列に配設するとともに、通路を挟んで互いに対面する収納棚の上部間を長尺の防震用連結バーで連結してなる収納棚の防震装置であって、前記収納棚は、通路に面した左右両側の支柱の上端部間にそれぞれビームを渡設するとともに、前後のビーム間に棚受によって支持された天板を載置した構造であり、各収納棚における前後のビームの任意の位置に係止した取付金具に前記連結バーを連結してなる収納棚の防震装置を構成した。
【０００７】
ここで、前記ビームは上縁を内方へ折曲して上板を形成するとともに、該上板の内縁を下方へ折曲して垂下板を形成し、前記取付金具は前記ビームの垂下板に係止する断面略Ｌ字形の係止部とその上部に上方へ開放した断面略コ字形の受部とを形成し、前記取付金具の係止部をビームの垂下板に係止し且つ受部の凹溝内に前記連結バーを受け入れてネジ止めしてなることが好ましい。
。
【０００８】
更に、前後のビームの垂下板にそれぞれ取付金具の係止部を互いに逆向きに係止した状態で、前記天板を前後のビーム間に装着して前記係止部をビームの垂下板と天板側縁との間で保持してなることがより好ましい。
【０００９】
また、前記取付金具は、前後のビームをそれぞれ外側から抱き込んで係止する係止部とその上部に上方へ開放した断面略コ字形の受部とを形成し、前記取付金具の係止部をビームに係止し且つ受部の凹溝内に前記連結バーを受け入れてネジ止めしてなることも好ましい。
【００１０】
【発明の実施の形態】
次に本発明の実施形態を添付図面に基づき更に詳細に説明する。図１は本発明の典型的な実施形態を示し、図２〜図４はその要部を示し、図中符号１は収納棚、２は通路、３は支柱、４はビーム、５は天板、６は取付金具、７は防震用連結バーをそれぞれ示している。
【００１１】
本発明は、複数の収納棚１，…をその間に通路２を設けて並列に配設するとともに、通路２を挟んで互いに対面する収納棚１，１の上部間を長尺の防震用連結バー７で連結するものである。そして、前記収納棚１は、通路２に面した左右両側の支柱３，３の上端部間にそれぞれビーム４，４を渡設するとともに、前後のビーム４，４間に棚受８によって支持された天板５を載置した構造である。また、前記支柱３は、通路２に沿って一定間隔で立設し、それぞれ各支柱３，３間に前記同様にビーム４を渡設し、天板５を装着し、更に多段に棚板９，…を設け、通路２に沿って長い収納棚１を構成している。そして、このように構成した複数の収納棚１を通路２を挟んで並列に配設したのである。
【００１２】
そして、前記各収納棚１，…における前後のビーム４，４の任意の位置に係止した取付金具６，６に、各収納棚１，…間に渡した前記連結バー７を連結してなるのである。このように、前記ビーム４を利用して連結バー７を連結する取付金具６を装着したので、該取付金具６をビーム４の長手方向、即ち通路２に沿った方向の任意の位置に取付けることが可能となり、図１に示すように構造柱１０が通路２内に位置して支柱３を利用できない場合でも、該構造柱１０を避けて連結バー７を取付けることができるようになったのである。
【００１３】
更に詳しくは、前記ビーム４は、表面板１１の上縁を内方へ折曲して上板１２を形成するとともに、該上板１２の内縁を下方へ折曲して垂下板１３を形成し、また表面板１１の下縁を内方へ折曲して下板１４を形成したものであり、前記表面板１１から延長した両端部の取付板１５を前記支柱３の通路２に面する側の中央から半分の位置にネジ１６，１６にて取付け、両支柱３，３間に渡設するのである。
【００１４】
そして、前記天板５は、収納棚１の奥行方向に位置する前後の支柱３，３間に取付けた棚受８を利用して載置し、前後のビーム４，４間に装着している。前記天板５は、上面板１７の周囲を下方を折曲して側面板１８を形成し、該側面板１８の下縁を内方へ断面略Ｌ字形に折曲して補強片１９を形成したものであり、前記ビーム４の垂下板１３と天板５の側面板１８との間には僅かな隙間が形成されている。
【００１５】
前記取付金具６は、図２〜図４に示すように、前記ビーム４の垂下板１３に係止する断面略Ｌ字形の係止部２０とその上部に上方へ開放した断面略コ字形の受部２１とを形成したものであり、前記係止部２０は垂直片２０Ａと外向きの水平片２０Ｂとからなる断面略Ｌ字形であり、前記受部２１は底板２１Ａの両側縁に側板２１Ｂ，２１Ｂを立設した断面略コ字形であり、両側板２１Ｂ，２１Ｂには取付孔２１Ｃをそれぞれ形成している。そして、前記係止部２０は前記ビーム４に沿った方向に延び、前記受部２１の凹溝２１Ｄの方向はビーム４に直交する方向である。尚、図示しないが、前記取付金具６は、前後のビーム４，４をそれぞれ外側から抱き込んで係止する係止部２０とその上部に上方へ開放した断面略コ字形の受部２１とを形成し、前記取付金具６の係止部２０をビーム４に係止し且つ受部２１の凹溝２１Ｄ内に前記連結バー７を受け入れてネジ止めするように構成することも可能である。
【００１６】
前記連結バー７は、底板７Ａの両側に側板７Ｂ，７Ｂを立設した断面略コ字形のものを例示したが、角パイプ状のものでも良い。そして、前記ビーム４に装着した取付金具６の受部２１の凹溝２１Ｄに前記連結バー７を嵌合した状態で、前記取付孔２１Ｃの位置に応じて該連結バー７の側板７Ｂの適所に取付孔７Ｃを穿設し、前記取付孔２１Ｃと取付孔７Ｃにボルト２２を挿通し、ナット２３で締付けて固定する。この取付状態では、前記取付金具６の係止部２０が前記ビーム４の垂下板１３に係止し、前後のビーム４では係止部２０の向きが逆であるので、両取付金具６，６を連結バー７に固定した後には、取付金具６がビーム４から外れることはないのである。
【００１７】
また、前記取付金具６は天板５を外した状態でビーム４に係止するが、その後に天板５を所定の位置に載置すると、前記係止部２０の垂直片２０Ａをビーム４の垂下板１３と天板５の側面板１８との間で保持して移動規制され、しかも連結バー７の底板７Ａが天板５の上面板１７に当接して、天板５の外れも規制されるので、大きな地震の震動によっても取付金具６がビーム４から外れる恐れは全くないのである。
【００１８】
【発明の効果】
以上にしてなる請求項１に係る発明の収納棚の防震装置は、複数の収納棚をその間に通路を設けて並列に配設するとともに、通路を挟んで互いに対面する収納棚の上部間を長尺の防震用連結バーで連結してなる収納棚の防震装置であって、前記収納棚は、通路に面した左右両側の支柱の上端部間にそれぞれビームを渡設するとともに、前後のビーム間に棚受によって支持された天板を載置した構造であり、各収納棚における前後のビームの任意の位置に係止した取付金具に前記連結バーを連結してなるので、取付金具をビームに沿った任意の位置に取付けることができ、それにより連結バーの取付位置に対する自由度が大きくなり、室内の構造柱や凸部を回避して連結バーを取付けることができ、地震の震動によって収納棚が倒れることを確実に防止することができる。また、取付金具はビームに係止するだけであるので、従来の方式と比較して簡単に取付けることができる。
【００１９】
請求項２によれば、取付金具の係止部がビームの垂下板に係止し、前後のビームでは係止部の向きが逆であるので、両取付金具を連結バーに固定した後には、ビームに取付金具を係止しただけであるにも係わらず、取付金具がビームから外れることはないのである。
【００２０】
請求項３によれば、係止部をビームの垂下板と天板の側縁部との間で保持して移動規制され、しかも連結バーが天板の上面に当接して、天板の外れも規制されるので、大きな地震の震動によっても取付金具がビームから外れる恐れは全くないのである。
【００２１】
請求項４によれば、前後のビームに取付金具の係止部を外側から係止し、両取付金具の受部に連結バーを受け入れてそれぞれネジ止めした取付状態では、取付金具が外れることがなく、しかも天板の外すことなく取付けることができるので作業が極めて簡単になる。
【図面の簡単な説明】
【図１】複数並列して配置した収納棚に本発明の防震装置を装着した実施形態を示す簡略斜視図である。
【図２】同じく要部の拡大斜視図である。
【図３】同じく要部の断面図である。
【図４】取付金具と連結バーの関係を示す分解斜視図である。
【図５】従来例を示す部分斜視図である。
【符号の説明】
１  収納棚                ２  通路
３  支柱                  ４  ビーム
５  天板                  ６  取付金具
７  連結バー              ７Ａ  底板
７Ｂ  側板                ７Ｃ  取付孔
８  棚受                  ９  棚板
１０  構造柱              １１  表面板
１２  上板                １３  垂下板
１４  下板                １５  取付板
１６  ネジ                １７  上面板
１８  側面板              １９  補強片
２０  係止部              ２０Ａ  垂直片
２０Ｂ  水平片            ２１  受部
２１Ａ  底板              ２１Ｂ  側板
２１Ｃ  取付孔            ２１Ｄ  凹溝
２２  ボルト              ２３  ナット
【図１】
0003580157.tif 000002
【図２】
0003580157.tif 000003
【図３】
0003580157.tif 000004
【図４】
0003580157.tif 000005
【図５】
0003580157.tif 000006